(57)【要約】【課題】特別な部材を必要とせず、鉢の転倒を効率的に防止することのできる鉢用台座を提供すること。【解決手段】径の異なる二つの円弧と該円弧を接続する直線からなる形状の有底穴が形成されてなる鉢用台座とする。この場合において、二つの円弧の径の比は、小さい径を１とした場合、大きい径が１．２以上２以下の範囲にあることが好ましく、また、鉢用台座は、石又はコンクリートから形成されてなることが好ましい。また、厚さは４ｃｍ以上１０ｃｍ以下の範囲にあり、前記有底穴の深さは２ｃｍ以上５ｃｍ以下の範囲にあることも好ましく、さらには、鉢用台座が有底穴と相似形となっていることが好ましい。【選択図】図９
0003152573.tif 000002
【実用新案登録請求の範囲】
【請求項１】
径の異なる二つの円弧と該円弧を接続する直線からなる形状の有底穴が形成されてなる鉢用台座。
【請求項２】
前記二つの円弧の径の比は、小さい径を１とした場合、大きい径が１．２以上２以下の範囲にある請求項１記載の鉢用台座。
【請求項３】
石又はコンクリートから形成されてなる請求項１記載の鉢用台座。
【請求項４】
厚さは４ｃｍ以上１０ｃｍ以下の範囲にあり、前記有底穴の深さは２ｃｍ以上５ｃｍ以下の範囲にある請求項１記載の鉢用台座。
【請求項５】
前記有底穴と相似形となっている請求項１記載の鉢用台座。
【考案の詳細な説明】
【技術分野】
【０００１】
本考案は、鉢用台座に関し、特に、転倒を防止することのできるものに関する。
【背景技術】
【０００２】
趣味として植物を育てることは一般的であり、植物を育てるために植木用の鉢を用いることもよく知られている。
【０００３】
ところが、植木鉢は、一般に、底部では径が小さく、上部の開口部に行くに従い径が大きくなっているのが一般的であり、また植物は鉢より上部に育ち延びるものであるため重心が自然と高くなり、屋外に配置した場合、強風等によって容易に転倒してしまうといった課題がある。
【０００４】
この鉢の転倒防止に関する技術としては、例えば下記特許文献１に、リング状の台座に鉢を置き、四方から板バネの内向力で鉢を保持する技術が開示されている。
【０００５】
【特許文献１】特開２００６−２０６１１号公報
【考案の開示】
【考案が解決しようとする課題】
【０００６】
しかしながら、上記特許文献１に記載の技術では、台座のほか板バネ等の特別な部材を設けなければならないといった課題がある。
【０００７】
そこで、本考案は、上記課題を鑑み、特別な部材を必要とせず、鉢の転倒を効率的に防止することのできる鉢用台座を提供することを目的とする。
【課題を解決するための手段】
【０００８】
上記課題を解決する第一の構成は、径の異なる二つの円弧と該円弧を接続する直線からなる形状の有底穴が形成されてなる鉢用台座である。
【０００９】
また上記構成に加え、二つの円弧の径の比は、小さい径を１とした場合、大きい径が１．２以上２以下の範囲にあることは好ましい態様である。
【００１０】
また上記構成に加え、石又はコンクリートから形成されてなることは好ましい態様である。
【００１１】
また上記構成に加え、厚さは３ｃｍ以上１０ｃｍ以下の範囲にあり、有底穴の深さは２ｃｍ以上５ｃｍ以下の範囲にあることは好ましい態様である。
【００１２】
また上記構成に加え、有底穴と相似形となっていることは好ましい態様である。
【考案の効果】
【００１３】
以上により本考案は、特別な部材を必要とせず、鉢の転倒を効率的に防止することのできる鉢用台座を提供することができる。また、有底穴が形成されているため、この部分に水を蓄えることができ、鉢中の土の乾燥を抑えることができるといった効果がある。
【考案を実施するための最良の形態】
【００１４】
以下、本考案の実施形態について図面を参照しつつ説明する。ただし、本考案は多くの異なる態様で実施することが可能であり、以下に示す実施形態に限定されるものではない。
【００１５】
図１は、本実施形態に係る鉢用台座１の概略図であり、図２はその平面図、図３はその底面図、図４は右側面図、図５は左側面図、図６は正面図、図７は背面図、図８は、図１中における線Ａ−Ａ’における断面図である。
【００１６】
上記図で示されるとおり、本実施形態に係る鉢用台座１は、径の異なる二つの円弧２１、２２と、この円弧２１、２２を接続する直線２３、２４からなる形状の有底穴２が形成されている。
【００１７】
本鉢用台座１は、鉢を収納し、転倒を防止するための重りとして機能する部材であり、材質は収納する鉢に比較して重いものであることが好ましく、石やコンクリートが好ましい材質である。
【００１８】
また、本鉢用台座１の厚さは４ｃｍ以上１０ｃｍ以下の範囲であることが好ましく、有底穴の深さは２ｃｍ以上５ｃｍ以下の範囲にあることが好ましい。台座の厚さを４ｃｍ以上とすることで鉢及び育成される植物の重さがあったとしても十分転倒を防止することのできる重さを確保することができ、１０ｃｍ以下とすることで不必要な重さにより移動させることが困難になるといった問題を防止することができる。有底穴の深さを２ｃｍ以上とすることで、転倒防止の効果を保持することができる一方、５ｃｍ以下とすることで鉢に対して穴を深くしてしまうことによる出し入れの困難を防ぐことができる。
【００１９】
また、上記の通り本鉢用台座１には、径の異なる二つの円弧２１、２２と、この円弧２１、２２を接続する直線２３、２４からなる形状の有底穴２が形成されている。
【００２０】
二つの円弧の径２１、２２の比は、小さい径を１とした場合、大きい径が１．２以上２以下の範囲にあることが好ましい。
【００２１】
円弧を接続する直線２３、２４は、接続している限りにおいて限定されるわけではないが、各円弧の接線となっていることが好ましい。このようにすることで、小さい径と大きな径の間の径の鉢であれば確実に固定することが可能となる。
【００２２】
また、有底穴の長さ（円弧２１の中心点２１１と円弧２２の中心点２２１との距離をいう。）は、限定されるわけではないが、二つの円弧の径２１、２２のうち大きな径よりも大きく、二つの円弧の径２１、２２の径の和以下であることが好ましい。このようにすることで、二つの円弧の径の範囲に入る鉢の径を十分に固定することができる一方、不必要に有底穴に空間を作ってしまわないといった効果がある。また、後述のように、鉢を配置した後の空間に小石をつめる場合において、広すぎると小石を配置した場合であっても小石が大きく動いてしまう虞が少なく、水平方向に対しても安定的に鉢を保持することができるといった効果がある。なお、有底穴２には水をためることができるため、鉢底部から常時鉢に給水することができるといった効果もある。
【００２３】
ここで図９を用い、本鉢用台座１を用いて鉢３を固定する場合の例について説明する。本図は、一方の径と同じ径を有する鉢３を配置した場合の図である。本図で示すように、鉢用台座１の有底穴２に鉢３を入れることで、鉢を固定することができる。なおこの場合において、有底穴２の開いた部分には、固定部材として、小石４を敷き詰めることが好ましい。小石を敷き詰めることで、垂直方向及び水平方向に十分に固定することができる。なお、小石を敷き詰めることで、有底穴に水を貯める場合においても、隙間を形成することができるため、給水効果を確保できるといった効果がある。
【００２４】
また、上記図においては、台座の形状が円形状の場合の例を示しているが、台座の形状はこれに限られず、有底穴と相似形となっていることも好ましい。このようにすることで、台座の上面がムラ無く形成でき、かつ複数の鉢用台座を無駄なく並べて配置することができるようになるといった効果がある。台座の形を相似形にし、複数配置した場合における図を図１０に、そのうちの一つの鉢用台座の斜視図、平面図、底面図、右側面図、左側面図、正面図、背面図を図１１乃至図１７に示す。
【産業上の利用可能性】
【００２５】
本考案は、鉢用の台座として産業上量産可能であり、産業上の利用可能性を有する。
【図面の簡単な説明】
【００２６】
【図１】実施形態に係る鉢用台座の斜視図である。
【図２】実施形態に係る鉢用台座の平面図である。
【図３】実施形態に係る鉢用台座の底面図である。
【図４】実施形態に係る鉢用台座の右側面図である。
【図５】実施形態に係る鉢用台座の左側面図である。
【図６】実施形態に係る鉢用台座の正面図である。
【図７】実施形態に係る鉢用台座の背面図である。
【図８】実施形態に係る鉢用台座のＡ−Ａ’断面図である。
【図９】実施形態に係る鉢用台座の使用の状態を示す図である。
【図１０】実施形態の他の例に係る鉢用台座を複数並べた場合の平面図である。
【図１１】実施形態の他の例に係る鉢用台座の斜視図である。
【図１２】実施形態の他の例に係る鉢用台座の平面図である。
【図１３】実施形態の他の例に係る鉢用台座の底面図である。
【図１４】実施形態の他の例に係る鉢用台座の右側面図である。
【図１５】実施形態の他の例に係る鉢用台座の左側面図である。
【図１６】実施形態の他の例に係る鉢用台座の正面図である。
【図１７】実施形態の他の例に係る鉢用台座の背面図である。
【図１】
0003152573.tif 000003
【図２】
0003152573.tif 000004
【図３】
0003152573.tif 000005
【図４】
0003152573.tif 000006
【図５】
0003152573.tif 000007
【図６】
0003152573.tif 000008
【図７】
0003152573.tif 000009
【図８】
0003152573.tif 000010
【図９】
0003152573.tif 000011
【図１０】
0003152573.tif 000012
【図１１】
0003152573.tif 000013
【図１２】
0003152573.tif 000014
【図１３】
0003152573.tif 000015
【図１４】
0003152573.tif 000016
【図１５】
0003152573.tif 000017
【図１６】
0003152573.tif 000018
【図１７】
0003152573.tif 000019